【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
麻雀ゲームのゲームフィールド画面を表示する表示手段と、
前記表示手段上に設けられ、プレイヤの指が接触したことを検出したとき、前記プレイヤの指が接触した位置の座標値を取得して位置座標情報を生成するタッチパネルと、
前記位置座標情報に基づいて、前記麻雀ゲームのゲーム進行を制御すると共に、前記麻雀ゲームの進行状況に基づくゲーム進行データを生成する制御手段と、
他の麻雀ゲーム装置と接続され、前記ゲーム進行データの送受信制御を行う通信制御手段とを有する麻雀ゲーム装置を制御する麻雀ゲーム制御方法であって、
前記表示手段に表示される麻雀ゲーム画面には、麻雀ゲームに参加しているプレイヤの手牌を整列表示する手牌表示位置が定められており、
前記制御手段が、前記麻雀ゲームのプレイヤが前記タッチパネルを操作することによって生成される第１の位置座標情報に基づいて、前記プレイヤの手牌表示位置に整列表示された前記プレイヤの手牌の中から移動の対象となる牌を選択する第１のステップと、
前記制御手段が、前記プレイヤによる前記タッチパネルの更なる操作に応じて生成される第２の位置座標情報と、前記プレイヤの手牌表示位置に整列表示された前記プレイヤの他の手牌の位置座標情報とを比較し、前記第２の位置座標に最も近い前記手牌表示位置の座標値を取得して、前記選択された手牌の移動位置とする第２のステップと、
前記制御手段が、前記選択された手牌の移動によって前記手牌の配列に生ずる空白の位置と、前記選択された手牌の移動位置とに基づいて、前記プレイヤの手牌の再配置位置を特定する第３のステップと、
前記制御手段が、前記選択された手牌を前記移動位置に移動させると共に、前記選択された以外の手牌を前記再配置位置に移動し、前記表示手段により表示する第４のステップと、
前記制御手段が、前記移動した手牌と前記移動位置とに基づいて手牌移動情報を生成する第５のステップと、
前記制御手段が、前記通信制御手段を介して前記手牌移動情報を他の麻雀ゲーム装置に送信する制御を行う第６のステップと
を有することを特徴とする麻雀ゲーム制御方法。
【請求項２】
請求項１記載の麻雀ゲーム制御方法において、
前記ゲーム画面には、前記通信制御手段を介して接続された他の麻雀ゲーム装置において選択操作される手牌の配列位置を特定する対戦相手の手牌配列位置が特定されており、
前記制御手段が、前記通信制御手段を介して、他の麻雀ゲーム装置からの手牌移動情報を受信した場合、前記他のゲーム装置からの手牌移動情報に基づいて、前記対戦相手の手牌配列位置の牌の中から移動すべき牌を選択する第７のステップと、
前記制御手段が、前記選択された牌の移動によって前記対戦相手の手牌配列に生ずる空白の位置と、前記選択された牌の移動位置とに基づいて、前記選択された牌以外の牌の再配置位置を特定する第８のステップと、
前記制御手段が、前記選択された牌を前記移動位置に移動させると共に、前記選択された以外の牌を前記再配置位置に移動し、前記表示手段により表示する制御を行う第９のステップとを更に有する
ことを特徴とする麻雀ゲーム制御方法。
【請求項３】
ゲーム内容を表示する表示手段と、
前記表示手段上に設けられ、物体が接触したことを検出したとき、前記物体が接触した位置の座標値を取得して位置座標情報を生成する位置座標取得手段と、
前記位置座標情報に基づいて、ゲーム進行を制御すると共に、前記ゲームの進行状況に基づくゲーム進行データを生成する制御手段と、
他のゲーム装置と接続され、前記ゲーム進行データの送受信制御を行う通信制御手段と 
を有するゲーム装置を制御するゲーム制御方法であって、
前記表示手段に表示されるゲーム画面には、ゲーム進行に関わる所定のアイテムが複数整列配置されるアイテム配列位置が定められており、
前記制御手段が、前記ゲームのプレイヤが前記位置座標取得手段を操作することによって生成される第１の位置座標情報に基づいて、配列された前記アイテムの中から移動の対象となるアイテムを選択する第１のステップと、
前記制御手段が、前記プレイヤによる前記位置座標取得手段の更なる操作に応じて生成される第２の位置座標情報と、前記アイテム配列位置の位置座標情報とを比較し、前記第２の位置座標に最も近い前記アイテム配列位置の座標値を取得して前記選択されたアイテムの移動位置とする第２のステップと、
前記制御手段が、前記選択されたアイテムの移動によって前記アイテム配列に生ずる空白の位置と、前記選択されたアイテムの移動位置とに基づいて、前記選択されたアイテム以外のアイテムの再配置位置を特定する第３のステップと、
前記制御手段が、前記選択されたアイテムを前記移動位置に移動させると共に、前記選択されたアイテム以外の前記アイテムを前記再配置位置に移動して、前記表示手段により表示する第４のステップと、
前記制御手段が、移動された前記アイテムと前記移動位置とに基づいてアイテム移動情報を生成する第５のステップと、
前記制御手段が、前記通信制御手段を介して前記アイテム移動情報を他のゲーム機に送信する制御を行う第６のステップと
ことを特徴とするゲーム制御方法。
【請求項４】
請求項３記載のゲーム制御方法において、
前記第１のステップでは、前記制御手段は、前記物体が前記位置座標取得手段に触れたことを検出した位置にアイテムが表示されていた場合、検出した位置に表示されていた前記アイテムを移動の対象として選択する
ことを特徴とするゲーム制御方法。
【請求項５】
請求項４記載のゲーム制御方法において、
前記第２のステップでは、前記制御手段は、前記物体が前記位置座標取得手段から離れたことを検出した位置に応じて、前記アイテムの前記移動位置を特定する
ことを特徴とするゲーム制御方法。
【請求項６】
請求項４記載のゲーム制御方法において、
前記第２のステップでは、前記制御手段は、前記アイテムが選択された後に前記物体が前記位置座標取得手段から離れたことを検出した後、前記位置座標選択手段に再度物体が触れたことを検出した位置に応じて、前記アイテムの前記移動位置を特定する
ことを特徴とするゲーム制御方法。
【請求項７】
請求項３乃至６のいずれか１項に記載のゲーム制御方法において、
前記ゲーム画面には、前記通信制御手段を介して接続された他のゲーム装置において選択操作されるアイテムが複数整列配置される他のアイテム配列位置が定められており、
前記制御手段が、前記通信制御手段を介して、前記他のゲーム装置からのアイテム移動情報を受信した場合、前記他のゲーム装置からの前記アイテム移動情報に基づいて、前記他のアイテム配列位置に配列された前記アイテムの中から移動すべきアイテムを選択する第７のステップと、
前記制御手段が、前記選択されたアイテムの移動によって前記他のアイテム配列に生ずる空白の位置と、前記選択されたアイテムの移動位置とに基づいて、前記選択されたアイテム以外のアイテムの再配置位置を特定する第８のステップと、
前記制御手段が、前記選択されたアイテムを前記移動位置に移動させると共に、前記選 
択されたアイテム以外のアイテムを前記再配置位置に移動して、前記表示手段により表示する制御を行う第９のステップとを更に有する
ことを特徴とするゲーム制御方法。
【請求項８】
麻雀ゲームのゲームフィールド画面を表示する表示手段と、
プレイヤの操作により、前記表示手段上の位置を指定し、その位置の座標値を取得して位置座標情報を生成する位置指定手段と、
前記位置座標情報に基づいて、前記麻雀ゲームのゲーム進行を制御すると共に、前記麻雀ゲームの進行状況に基づくゲーム進行データを生成する制御手段と、
他の麻雀ゲーム装置と接続され、前記ゲーム進行データの送受信制御を行う通信制御手段とを有する麻雀ゲーム装置を制御する麻雀ゲーム制御方法であって、
前記表示手段に表示される麻雀ゲーム画面には、麻雀ゲームに参加しているプレイヤの手牌を整列表示する手牌表示位置が定められており、
前記制御手段が、前記麻雀ゲームのプレイヤが前記位置指定手段を操作することによって生成される第１の位置座標情報に基づいて、前記プレイヤの手牌表示位置に整列表示された前記プレイヤの手牌の中から移動の対象となる牌を選択する第１のステップと、
前記制御手段が、前記プレイヤによる前記位置指定手段の更なる操作に応じて生成される第２の位置座標情報と、前記プレイヤの手牌表示位置に整列表示された前記プレイヤの他の手牌の位置座標情報とを比較し、前記第２の位置座標に最も近い前記手牌表示位置の座標値を取得して、前記選択された手牌の移動位置とする第２のステップと、
前記制御手段が、前記選択された手牌の移動によって前記手牌の配列に生ずる空白の位置と、前記選択された手牌の移動位置とに基づいて、前記プレイヤの手牌の再配置位置を特定する第３のステップと、
前記制御手段が、前記選択された手牌を前記移動位置に移動させると共に、前記選択された以外の手牌を前記再配置位置に移動し、前記表示手段により表示する第４のステップと、
前記制御手段が、前記移動した手牌と前記移動位置とに基づいて手牌移動情報を生成する第５のステップと、
前記制御手段が、前記通信制御手段を介して前記手牌移動情報を他の麻雀ゲーム装置に送信する制御を行う第６のステップと、
前記ゲーム画面には、前記通信制御手段を介して接続された他の麻雀ゲーム装置において選択操作される手牌の配列位置を特定する対戦相手の手牌配列位置が特定されており、
前記制御手段が、前記通信制御手段を介して、他の麻雀ゲーム装置からの手牌移動情報を受信した場合、前記他のゲーム装置からの手牌移動情報に基づいて、前記対戦相手の手牌配列位置の牌の中から移動すべき牌を選択する第７のステップと、
前記制御手段が、前記選択された牌の移動によって前記対戦相手の手牌配列に生ずる空白の位置と、前記選択された牌の移動位置とに基づいて、前記選択された牌以外の牌の再配置位置を特定する第８のステップと、
前記制御手段が、前記選択された牌を前記移動位置に移動させると共に、前記選択された以外の牌を前記再配置位置に移動し、前記表示手段により表示する制御を行う第９のステップとを更に有する
ことを特徴とする麻雀ゲーム制御方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】００１５
【補正方法】変更
【補正の内容】
【００１５】
本発明の一態様としての麻雀ゲーム制御方法は、麻雀ゲームのゲームフィールド画面を表示する表示手段と、プレイヤの操作により、前記表示手段上の位置を指定し、その位置の座標値を取得して位置座標情報を生成する位置指定手段と、前記位置座標情報に基づいて、前記麻雀ゲームのゲーム進行を制御すると共に、前記麻雀ゲームの進行状況に基づくゲーム進行データを生成する制御手段と、他の麻雀ゲーム装置と接続され、前記ゲーム進行データの送受信制御を行う通信制御手段とを有する麻雀ゲーム装置を制御する麻雀ゲーム制御方法であって、前記表示手段に表示される麻雀ゲーム画面には、麻雀ゲームに参加しているプレイヤの手牌を整列表示する手牌表示位置が定められており、前記制御手段が、前記麻雀ゲームのプレイヤが前記位置指定手段を操作することによって生成される第１の位置座標情報に基づいて、前記プレイヤの手牌表示位置に整列表示された前記プレイヤの手牌の中から移動の対象となる牌を選択する第１のステップと、前記制御手段が、前記プレイヤによる前記位置指定手段の更なる操作に応じて生成される第２の位置座標情報と、前記プレイヤの手牌表示位置に整列表示された前記プレイヤの他の手牌の位置座標情報とを比較し、前記第２の位置座標に最も近い前記手牌表示位置の座標値を取得して、前記選択された手牌の移動位置とする第２のステップと、前記制御手段が、前記選択された手牌の移動によって前記手牌の配列に生ずる空白の位置と、前記選択された手牌の移動位置とに基づいて、前記プレイヤの手牌の再配置位置を特定する第３のステップと、前記制御手段が、前記選択された手牌を前記移動位置に移動させると共に、前記選択された以外の手牌を前記再配置位置に移動し、前記表示手段により表示する第４のステップと、前記制御手段が、前記移動した手牌と前記移動位置とに基づいて手牌移動情報を生成する第５のステップと、前記制御手段が、前記通信制御手段を介して前記手牌移動情報を他の麻雀ゲーム装置に送信する制御を行う第６のステップと、前記ゲーム画面には、前記通信制御手段を介して接続された他の麻雀ゲーム装置において選択操作される手牌の配列位置を特定する対戦相手の手牌配列位置が特定されており、前記制御手段が、前記通信制御手段を介して、他の麻雀ゲーム装置からの手牌移動情報を受信した場合、前記他のゲーム装置からの手牌移動情報に基づいて、前記対戦相手の手牌配列位置の牌の中から移動すべき牌を選択する第７のステップと、前記制御手段が、前記選択された牌の移動によって前記対戦相手の手牌配列に生ずる空白の位置と、前記選択された牌の移動位置とに基づいて、前記選択された牌以外の牌の再配置位置を特定する第８のステップと、前記制御手段が、前記選択された牌を前記移動位置に移動させると共に、前記選択された以外の牌を前記再配置位置に移動し、前記表示手段により表示する制御を行う第９のステップとを更に有することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】